(57)【要約】【課題】  バージョンアップ時も常時運用時と同様な録画動作を可能とした画像録画装置及びそのバージョンアップ方法を提供すること。【解決手段】  ソフトウェアを格納するプログラム格納メモリ１１８の退避系である退避用プログラム格納メモリ１１９を設け、録画再生動作時と、ネットワークＩ／Ｆ部１１５を介して送信される外部格納装置１３０に保存されたバージョンアップソフトウェアのダウンロード時とに応じて、プログラム格納メモリ１１８とのデータ通信と、退避系プログラム格納メモリ１１９へデータ通信とを切り替えて、ＣＰＵ１１１に接続する切替部１１７を設ける。【選択図】  図１
2006246179.tif 000002
【特許請求の範囲】
【請求項１】
撮像された情報を保存する監視録画装置であって、
運用プログラムが格納され、複数回の記録の消去及び書き込みが可能な運用プログラム格納メモリと、
前記運用プログラムに含まれる少なくとも録画動作に関するプログラムと同様のプログラムを含むバージョンアップ用プログラムが格納され、複数回の記録の消去及び書き込みが可能なバージョンアップ用プログラム格納メモリと、
前記監視録画装置の動作を制御する制御部と、
前記運用プログラム又は前記バージョンアップ用プログラムの更新時に、前記運用プログラム格納メモリと前記バージョンアップ用プログラム格納メモリとを切り替えて、前記制御部に接続する切替部と、
を備える監視録画装置。
【請求項２】
請求項１記載の監視録画装置であって、
前記切替部は、前記運用プログラムの更新時に前記運用プログラムに対するアクセス要求があった場合に、前記制御部への接続を、前記運用プログラム格納メモリから前記バージョンアップ用プログラム格納メモリに切り替え、
前記制御部は、前記運用プログラムの更新を停止し、前記バージョンアップ用プログラムによって、前記アクセス要求に応じた動作を行う監視録画装置。
【請求項３】
請求項１又は２記載の監視録画装置であって、
前記切替部は、前記バージョンアップ用プログラムの更新時に前記運用プログラムに対するアクセス要求があった場合に、前記制御部への接続を、前記バージョンアップ用プログラム格納メモリから前記運用プログラム格納メモリに切り替え、
前記制御部は、前記バージョンアップ用プログラムの更新を停止し、前記運用プログラムによって、前記アクセス要求に応じた動作を行う監視録画装置。
【請求項４】
請求項２又は３記載の監視録画装置であって、
前記運用プログラムに対するアクセス要求は、前記撮像された情報の録画要求、前記保存された情報の再生要求、及び前記撮像された情報を録画する録画レートの変更要求のうち少なくとも一つの要求を含む監視録画装置。
【請求項５】
請求項１記載の監視録画装置であって、
前記切替部は、前記運用プログラム格納メモリ及び前記バージョンアップ用プログラム格納メモリの一方に対するプログラムの更新を行っているとき、前記制御部との接続は他方のプログラム格納メモリに対して行うストリーム制御部を有する監視録画装置。
【請求項６】
撮像された情報を保存する監視録画装置のバージョンアップ方法であって、
バージョンアップの開始の指示を受け付けるステップと、
前記開始されたバージョンアップ時に、それぞれ、複数回の記録の消去及び書き込みが可能な、運用プログラムが格納された運用プログラム格納メモリとバージョンアップ用プログラムが格納されたバージョンアップ用プログラム格納メモリとを任意のタイミングで切り替えて、前記監視録画装置の動作を制御する制御部に接続するステップと、
を有するバージョンアップ方法。
【発明の詳細な説明】
【技術分野】
【０００１】
本発明は、撮像された情報を保存する監視録画装置及びそのバージョンアップ方法に関する。
【背景技術】
【０００２】
従来、監視録画装置は、複数のカメラの映像入力から監視の重要度により録画レート、情報量等を変更し、保存媒体に保存する。上記監視録画装置のソフトウェアは、フラッシュメモリに代表されるように修正・変更が可能な作りになっていることが多い。
【０００３】
その際、セキュリティ監視機器である監視録画装置は、２４時間運用が前提でありバージョンアップ時も録画する必要がある。
【０００４】
従来の監視録画装置のバージョンアップ手法を、図８を参照して説明する。図８は、従来の監視録画装置の概略構成を示すブロック図である。
【０００５】
図８に示すように、従来の監視録画システムは、監視録画装置７１０と、バージョンアップを行うソフトウェアが格納された外部格納装置７３０とを有して構成される。
【０００６】
監視録画装置７１０は、各種制御・設定を行い、各制御部の監視を行うＣＰＵ７１１、カメラ等で撮像された情報を保存するＳＤＲＡＭ７１２、ユーザが押下するボタン７１３、バージョンアップ時に押下するバージョンアップボタン７１４、ネットワークＩ／Ｆ部７１５、運用ソフトウェア７２０が格納されるプログラム格納メモリ７１８を有する。
【０００７】
バージョンアップ用のソフトウェアが格納されている外部格納装置７３０が、ネットワークＩ／Ｆ部７１５に接続され、ＣＰＵ７１１がネットワークＩ／Ｆ部７１５を介してプログラム格納メモリ７１８に運用ソフトウェア７２０をダウンロードすることで、運用ソフトウェアのバージョンアップが行われる。
【０００８】
なお、複数のノードに対して自動的にソフトウェアをインストールが可能なソフトウェアのインストール方法が、特許文献１に記載されている。
【特許文献１】特開２０００−１８１６８８号公報
【発明の開示】
【発明が解決しようとする課題】
【０００９】
しかしながら、上記従来の監視録画装置にあっては、バージョンアップ時には、通常、運用ソフトウェア７１８へのアクセスをマスクするため、アラーム発生時の録画レート変更等、運用ソフトウェアによって実現される動作が行うことができなくなり、録画再生動作に制限があるといった事情があった。
【００１０】
本発明は、上記従来の事情に鑑みてなされたものであって、バージョンアップ時も常時運用時と同様な録画動作を可能とした画像録画装置及びそのバージョンアップ方法を提供することを目的とする。
【課題を解決するための手段】
【００１１】
本発明の画像録画装置は、撮像された情報を保存する監視録画装置であって、運用プログラムが格納され、複数回の記録の消去及び書き込みが可能な運用プログラム格納メモリと、前記運用プログラムに含まれる少なくとも録画動作に関するプログラムと同様のプログラムを含むバージョンアップ用プログラムが格納され、複数回の記録の消去及び書き込みが可能なバージョンアップ用プログラム格納メモリと、前記監視録画装置の動作を制御する制御部と、前記運用プログラム又は前記バージョンアップ用プログラムの更新時に、前記運用プログラム格納メモリと前記バージョンアップ用プログラム格納メモリとを切り替えて、前記制御部に接続する切替部と、を備える。
【００１２】
この構成により、バージョンアップ時も常時運用時とかわらない録画再生動作を実現することができる。
【００１３】
また、本発明の監視録画装置において、前記切替部は、前記運用プログラムの更新時に前記運用プログラムに対するアクセス要求があった場合に、前記制御部への接続を、前記運用プログラム格納メモリから前記バージョンアップ用プログラム格納メモリに切り替え、前記制御部は、前記運用プログラムの更新を停止し、前記バージョンアップ用プログラムによって、前記アクセス要求に応じた動作を行う。
【００１４】
この構成により、運用プログラムのバージョンアップ時に、バージョンアップ用プログラムによって動作を行うので、運用プログラムのバージョンアップ時に常時運用時とかわらない録画再生動作を実現することができる。
【００１５】
また、本発明の監視録画装置において、前記切替部は、前記バージョンアップ用プログラムの更新時に前記運用プログラムに対するアクセス要求があった場合に、前記制御部への接続を、前記バージョンアップ用プログラム格納メモリから前記運用プログラム格納メモリに切り替え、前記制御部は、前記バージョンアップ用プログラムの更新を停止し、前記運用プログラムによって、前記アクセス要求に応じた動作を行う。
【００１６】
この構成により、バージョンアップ用プログラムのバージョンアップ時に、運用プログラムによって動作を行うので、常時運用時と変わらない録画再生動作を実現するとともに、バージョンアップ用プログラムのバージョンアップを行うことができる。
【００１７】
また、本発明の監視録画装置において、前記運用プログラムに対するアクセス要求は、前記撮像された情報の録画要求、前記保存された情報の再生要求、及び前記撮像された情報を録画する録画レートの変更要求のうち少なくとも一つの要求を含む。
【００１８】
この構成により、バージョンアップ時にも、録画再生要求や、録画レートの変更要求等に応じた動作を行うことができる。
【００１９】
また、本発明の監視録画装置において、前記切替部は、前記運用プログラム格納メモリ及び前記バージョンアップ用プログラム格納メモリの一方に対するプログラムの更新を行っているとき、前記制御部との接続は他方のプログラム格納メモリに対して行うストリーム制御部を有する。
【００２０】
この構成により、制御部の負荷の少なく保守性の高いソフトウェアバージョンアップが可能である。
【００２１】
本発明のバージョンアップ方法は、撮像された情報を保存する監視録画装置のバージョンアップ方法であって、バージョンアップの開始の指示を受け付けるステップと、前記開始されたバージョンアップ時に、それぞれ、複数回の記録の消去及び書き込みが可能な、運用プログラムが格納された運用プログラム格納メモリとバージョンアップ用プログラムが格納されたバージョンアップ用プログラム格納メモリとを任意のタイミングで切り替えて、前記監視録画装置の動作を制御する制御部に接続するステップと、を有する。
【００２２】
この方法により、バージョンアップ時も常時運用時とかわらない録画再生動作を実現することができる。
【発明の効果】
【００２３】
本発明によれば、バージョンアップ時も常時運用時と同様な録画動作を可能とした画像録画装置及びそのバージョンアップ方法を提供することができる。
【発明を実施するための最良の形態】
【００２４】
（第１の実施形態）
図１は、本発明の第１の実施形態に係る監視録画装置の概略構成を示すブロック図である。図１に示すように、本実施形態の監視録画装置１１０には、バージョンアップを行うソフトウェアが格納された外部格納装置１３０に接続されている。
【００２５】
監視録画装置１１０は、各種制御・設定を行って各部の監視を行う制御部の一例であるＣＰＵ１１１と、不図示のカメラ等によって撮像された画像や音声の情報を記憶するＳＤＲＡＭ１１２と、録画や再生動作等の所望の動作を行うためにユーザが押下するボタン１１３と、バージョンアップ時に押下するバージョンアップ用ボタン１１４と、外部格納装置１３０のインタフェースであり、バージョンアップ用ボタン１１４が押下された場合、ＣＰＵ１１１にバージョンアップ要求信号を送信するネットワークＩ／Ｆ部１１５と、アラーム信号を受信するアラームＩ／Ｆ部１１６と、ソフトウェアが格納されるプログラム格納メモリ１１８と、退避用プログラム格納メモリ１１９と、ＣＰＵ１１１がアクセスするデータをプログラム格納メモリ１１８と退避用プログラム格納メモリ１１９とを切り替える切替部１１７とを有して構成される。
【００２６】
運用プログラム格納メモリの一例であるプログラム格納メモリ１１８には、運用プログラムの一例である運用ソフトウェア１２０、ベリファイソフトウェア１２２が格納され、ベリファイソフトウェア１２２には、運用ソフトウェア１２０に対応したチェックサム１２３が存在する。
【００２７】
バージョンアップ用プログラム格納メモリの一例である退避用プログラム格納メモリ１１９には、バージョンアップ用プログラムの一例であるバージョンアップ用ソフトウェア１２１、ベリファイソフトウェア１２２が格納され、ベリファイソフトウェア１２２には、運用ソフトウェア１２０に対応したチェックサム１２３が存在する。なお、バージョンアップ用ソフトウェア１２１は、運用ソフトウェア１２０に含まれる少なくとも録画動作に関するプログラムと同様のプログラム、例えば、ユーザからの要求による録画再生、スケジューリングによる録画・録画レート変更、アラーム発生による録画動作・録画レート変更の動作に関するプログラムを含むものである。なお、録画動作のほか、再生動作に関するプログラム等を含んでもよい。
【００２８】
以上のように構成されたバージョンアップ手法について、図２〜図４を用いてその動作を説明する。図２及び図３は、本発明の第１の実施形態に係るバージョンアップ方法の動作説明のためのフロー図であり、図４は、本発明の第１の実施形態に係るバージョンアップ方法のプロセス図である。
【００２９】
まず、ユーザはソフトウェアのバージョンアップを要求するために外部格納装置１３０を監視録画装置１１０に接続し、バージョンアップ用ボタン１１４を押下する（ステップＳ２０１）。
【００３０】
ネットワークＩ／Ｆ部１１５はバージョンアップ用ボタン１１４が押下されたことを判別し、ＣＰＵ１１１にバージョンアップ要求信号を送信する（ステップＳ２０２）。切替部１１７は、ＣＰＵ１１１からのプログラム格納メモリ１１８へ制御信号をＯＦＦ、退避用プログラム格納メモリ１１９への制御信号をＯＮに切り替える（ステップＳ２０３）。  そして、ＣＰＵ１１１は、退避用プログラム格納メモリ１１９からバージョンアップ用ソフトウェア１２１を読出し、運用モードからバージョンアップモードに切り替える（ステップＳ２０４）。
【００３１】
バージョンアップモード時は、例えば、録画再生に関する動作のみ行うものであり、それ以外の動作は受け付けないこととする。録画再生に関する動作の例として、ユーザからの録画再生要求、スケジューリングによる録画再生・録画レート変更、アラーム発生による録画動作・録画レート変更が存在する。
【００３２】
また、ＣＰＵ１１１は、アラームＩ／Ｆ部１１６とネットワークＩ／Ｆ部１１５を監視し、ユーザもしくはアラームからの録画再生動作を監視する（ステップＳ２０５、２０８）。
【００３３】
切替部１１７は、ＣＰＵ１１１からのプログラム格納メモリ１１８への制御信号をＯＮ、退避用プログラム格納メモリ１１９への制御信号をＯＦＦに、切り替える（ステップＳ２０６）。そして、録画動作が行われない期間は、外部格納装置１３０からプログラム格納メモリ１１８に運用ソフトウェア１２０をダウンロードして更新する（ステップＳ２０７）。
【００３４】
アラームＩ／Ｆ部１１６もしくはネットワークＩ／Ｆ部１１５に録画動作命令が送信された場合（ステップＳ２０８のＹＥＳ）、ＣＰＵ１１１は運用ソフトウェア１２０のダウンロード動作を停止し（ステップＳ２０９）、切替部１１７は、ＣＰＵ１１１からのプログラム格納メモリ１１８へ制御信号をＯＦＦ、退避用プログラム格納メモリ１１９への制御信号をＯＮに、切り替える（ステップＳ２１０）。
【００３５】
そして、ＣＰＵ１１１は、アラームＩ／Ｆ部１１６もしくはネットワークＩ／Ｆ部１１５に要求された命令に基づいて各部を制御する動作を行う（ステップＳ２１１）。動作完了後、切替部１１７は、ＣＰＵ１１１からのプログラム格納メモリ１１８へ制御信号をＯＮ、退避用プログラム格納メモリ１１９への制御信号をＯＦＦに切り替える（ステップＳ２１２）。外部格納装置１３０からプログラム格納メモリ１１８に運用ソフトウェア１２０をダウンロードを再開する（ステップＳ２０７）。
【００３６】
ダウンロード完了後、ベリファイソフトウェア１２２を用いて、運用ソフトウェア１２０とチェックサム動作を行う（ステップＳ２１３）。チェックサム動作により、ダウンロードしたソフトウェアに異常があれば（ステップＳ２１４のＮＧ）、「ダウンロードＮＧ」警告を図示しない表示部に表示したり、音声を出力し、警告を報知する（ステップＳ２１５）。チェックサム動作により、ダウンロードしたソフトウェアに異常がなければ（ステップＳ２１４のＯＫ）、切替部１１７はＣＰＵ１１１からの退避用プログラム格納メモリ１１９へ制御信号をＯＦＦ、プログラム格納メモリ１１８への制御信号をＯＮに切り替える（ステップＳ２１６）。そして、プログラム格納メモリ１１８の運用ソフトウェア１２０を読出す（ステップＳ２１７）。
【００３７】
切替部１１７は、ＣＰＵ１１１からのプログラム格納メモリ１１８へ制御信号をＯＦＦ、退避用プログラム格納メモリ１１９への制御信号をＯＮに切り替える（ステップＳ２１８）。そして、外部格納装置１３０から退避用プログラム格納メモリ１１９にバージョンアップ用ソフトウェア１２１をダウンロードする（ステップＳ２１９）。
【００３８】
アラームＩ／Ｆ部１１６もしくはネットワークＩ／Ｆ部１１５に録画動作命令が送信された場合（ステップＳ２２０のＹＥＳ）、ＣＰＵ１１１は運用ソフトウェア１２０動作を停止し（ステップＳ２２１）、切替部１１７は、ＣＰＵ１１１からのプログラム格納メモリ１１８へ制御信号をＯＮし、退避用プログラム格納メモリ１１９への制御信号をＯＦＦし、切り替える（ステップＳ２２２）。
【００３９】
そして、ＣＰＵ１１１は、アラームＩ／Ｆ部１１６もしくはネットワークＩ／Ｆ部１１５に要求された命令に基づいて動作を行う（ステップＳ２２３）。動作完了後、切替部１１７は、ＣＰＵ１１１からのプログラム格納メモリ１１８へ制御信号をＯＦＦ、退避用プログラム格納メモリ１１９への制御信号をＯＮに切り替える（ステップＳ２２４）。そして、外部格納装置１３０からプログラム格納メモリ１１８にバージョンアップ用ソフトウェア１２１をダウンロードを再開する（ステップＳ２１９）。
【００４０】
ダウンロード完了後、ベリファイソフトウェア１２２を用いて、運用ソフトウェア１２０とチェックサム動作を行う（ステップＳ２２５）。チェックサム動作により、ダウンロードしたソフトウェアに異常があれば（ステップＳ２１４のＮＧ）、「ダウンロードＮＧ」警告を図示しない表示部に表示したり、音声を出力し、警告を報知する（ステップＳ２１５）。チェックサム動作により、ダウンロードしたソフトウェアに異常がなければ（ステップＳ２１４のＯＫ）、切替部１１７は、ＣＰＵ１１１からのプログラム格納メモリ１１８へ制御信号をＯＮ、退避用プログラム格納メモリ１１９への制御信号をＯＦＦに切り替える（ステップＳ２２７）。
【００４１】
すなわち、図４に示すように、本実施形態の録画再生装置１１０では、録画再生動作等の要求、すなわち運用プログラム１２０へのアクセス要求がある場合に、ソフトウェアのダウンロードを中断し、運用プログラム１２０又はバージョンアップ用プログラム１２１により、要求された動作を行う。
【００４２】
以上、第１の実施の形態では、プログラム格納メモリと退避用プログラム格納メモリをバージョンアップ毎に切り替えて使用する。このような本発明の第１の実施の形態のバージョンアップ手法によれば、退避用プログラム格納メモリ１１９を設け、常時運用用のプログラム格納メモリ１１８のバージョンアップ時には、退避用プログラム格納メモリ１１９を用い録画再生動作用ソフトウェア動作を行うことにより、バージョンアップ時も常時運用時とかわらない録画再生動作を可能とするソフトウェアバージョンアップが可能である。
【００４３】
（第２の実施形態）
図５は、本発明の第２の実施形態に係る監視録画装置の概略構成を示すブロック図である。図５に示すように、本実施形態の監視録画装置４１０は、バージョンアップを行うソフトウェアが格納された外部格納装置４３０に接続されている。
【００４４】
監視録画装置４１０は、各種制御・設定を行って各部の監視を行う制御部の一例であるＣＰＵ４１１と、不図示のカメラ等によって撮像された画像や音声の情報を記憶するＳＤＲＡＭ４１２と、録画や再生動作等の所望の動作を行うためにユーザが押下するボタン４１３と、バージョンアップ時に押下するバージョンアップ用ボタン４１４と、外部格納装置４３０のインタフェースであり、バージョンアップ用ボタン４１４が押下された場合、ＣＰＵ４１１にバージョンアップ要求信号を送信するネットワークＩ／Ｆ部４１５と、アラーム信号を受信するアラームＩ／Ｆ部４１６と、ＣＰＵ４１１との通信データとネットワークＩ／Ｆ部４１５を介して送信される外部格納装置４３０に保存されたバージョンアップソフトウェアのデータとを同時に処理できるスループットを持つストリームコントロール部４１７と、ストリームコントロール部４１７に送受信されるデータを一時的に格納するストリーム用ＳＤＲＡＭ４２４と、ソフトウェアが格納されるプログラム格納メモリ４１８、退避用プログラム格納メモリ４１９とを有して構成される。
【００４５】
プログラム格納メモリ４１８には、運用ソフトウェア４２０、ベリファイソフトウェア４２２が格納され、ベリファイソフトウェア４２２には、運用ソフトウェア４２０に対応したチェックサム４２３が存在する。
【００４６】
退避用プログラム格納メモリ４１９には、バージョンアップ用ソフトウェア４２１、ベリファイソフトウェア４２２が格納され、ベリファイソフトウェア４２２には、運用ソフトウェア４２０に対応したチェックサム４２３が存在する。
【００４７】
以上のように構成された監視録画装置のバージョンアップ手法について、図６及び図７を用いて説明する。図６は、本発明の第２の実施形態に係るバージョンアップ方法の動作説明のためのフロー図、図７は、本発明の第１の実施形態に係るバージョンアップ方法のプロセス図である。
【００４８】
まず、ユーザはソフトウェアのバージョンアップを要求するために外部格納装置４３０を監視録画装置４１０に接続し、バージョンアップ用ボタン４１４を押下する（ステップＳ５０１）。
【００４９】
ネットワークＩ／Ｆ部４１５はバージョンアップ用ボタン４１４が押下されたことを判別し、ＣＰＵ４１１にバージョンアップ要求信号を送信する（ステップＳ５０２）。ストリームコントロール部４１７は、ＣＰＵ４１１との通信データは、退避用プログラム格納メモリ４１９にアクセスし、ネットワークＩ／Ｆ部４１５を介して送られる外部格納装置４３０からの送信データはストリーム用ＳＤＲＡＭ４２４を介してプログラム格納メモリ４１８にアクセスするように制御する（ステップＳ５０３）。
【００５０】
外部格納装置４３０からネットワークＩ／Ｆ部４１５を介してストリームコントローラ部４１７はストリーム用ＳＤＲＡＭ４２４に格納する。格納したデータをプログラム格納メモリ４１８に保存し、ダウンロードを行う（ステップＳ５０４）。ＣＰＵ４１１との通信データは退避用プログラム格納メモリ４１９のデータとアクセスを行い、ダウンロード中でも運用動作を行う。
【００５１】
ダウンロード完了後、ベリファイソフトウェア４２２を用いて、先ほどダウンロードしたソフトウェアと、ベリファイソフトウェアに含まれているチェックサム比較を行う（ステップＳ５０５）。チェックサム動作により、ダウンロードしたソフトウェアに異常があれば（ステップＳ５０６のＮＧ）ならば、「ダウンロードＮＧ」警告を図示しない表示部に表示したり、音声を出力し、警告を報知する（ステップＳ５０７）。チェックサム動作により、ダウンロードしたソフトウェアに異常がなければ（ステップＳ５０６のＯＫ）、ＣＰＵ４１１との通信データは、プログラム格納メモリ４１８にアクセスし、ネットワークＩ／Ｆ部４１５を介して送られる外部格納装置４３０からの送信データはストリーム用ＳＤＲＡＭ４２４を介して退避用プログラム格納メモリ４１９にアクセスするように制御を変更する（ステップＳ５０８）。
【００５２】
外部格納装置４３０からネットワークＩ／Ｆ部４１５を介してストリームコントローラ部４１７はストリーム用ＳＤＲＡＭ４２４に格納する。格納したデータを退避用プログラム格納メモリ４１９に保存し、ダウンロードを行う（ステップＳ５０９）。ＣＰＵ４１１との通信データはプログラム格納メモリ４１８のデータとアクセスを行い、ダウンロード中でも運用動作を行う。
【００５３】
ダウンロード完了後、ソフトウェア内部に存在するベリファイソフトウェア４２２を用いて、先ほどダウンロードしたソフトウェアと、ベリファイソフトウェアに含まれているチェックサム比較を行う（ステップＳ５１０）。チェックサム動作により、ダウンロードしたソフトウェアに異常があれば（ステップＳ５１２のＮＧ）、「ダウンロードＮＧ」警告を図示しない表示部に表示したり、音声を出力し、警告を報知する（ステップＳ５１３）。チェックサム動作により、ダウンロードしたソフトウェアに異常がなければ（ステップＳ２１４のＯＫ）、処理を終了する。
【００５４】
すなわち、図７に示すように、本実施形態の録画再生装置４１０では、録画再生動作等の要求、すなわち運用プログラム４２０へのアクセス要求がある場合に、ストリームコントロール部４１７を用いることにより、ソフトウェアのダウンロードと平行して、運用プログラム４２０又はバージョンアップ用プログラム４２１を用いて要求された動作を行う。
【００５５】
このような本発明の第２の実施形態のバージョンアップ手法によれば、ＣＰＵ４１１との通信データとネットワークＩ／Ｆ部４１５を介して送信される外部格納装置４３０保存のバージョンアップソフトウェアのデータを同時に処理できるスループットを持つストリームコントロール部４１７を設けることにより、ＣＰＵ４１１負荷の少なく保守性の高いソフトウェアバージョンアップが可能であり、また、バージョンアップ時も常時運用時と変わらない録画再生動作を行えるすることができる。
【産業上の利用可能性】
【００５６】
本発明は、バージョンアップ時も常時運用時と同様な録画動作を可能とした効果を有し、監視録画装置等に有用である。
【図面の簡単な説明】
【００５７】
【図１】本発明の第１の実施形態に係る監視録画装置の概略構成を示すブロック図
【図２】本発明の第１の実施形態に係るバージョンアップ方法の動作説明のためのフロー図
【図３】本発明の第１の実施形態に係るバージョンアップ方法の動作説明のためのフロー図
【図４】本発明の第１の実施形態に係るバージョンアップ方法のプロセス図
【図５】本発明の第２の実施形態に係る監視録画装置の概略構成を示すブロック図
【図６】本発明の第２の実施形態に係るバージョンアップ方法の動作説明のためのフロー図
【図７】本発明の第２の実施形態に係るバージョンアップ方法のプロセス図
【図８】従来の監視録画装置の概略構成を示すブロック図
【符号の説明】
【００５８】
１１０、４１０、７１０  監視録画装置
１１１、４１１、７１１  ＣＰＵ
１１２、４１２、７１２  ＳＤＲＡＭ
１１３、４１３、７１３  ボタン
１１４、４１４、７１４  バージョンアップ用ボタン
１１５、４１５、７１５  ネットワークＩ／Ｆ部
１１６、４１６  アラームＩ／Ｆ部
１１７  切替部
１１８、４１８、７１８  プログラム格納メモリ
１１９、４１９  退避用プログラム格納メモリ
１２０、４２０、７２０  運用ソフトウェア
１２１  バージョンアップ用ソフトウェア
１２２、４２２  ベリファイソフトウェア
１２３、４２３  チェックサム
１３０、４３０、７３０  外部格納装置
４１７  ストリームコントロール部
４２４  ストリーム用ＳＤＲＡＭ
【図１】
2006246179.tif 000003
【図２】
2006246179.tif 000004
【図３】
2006246179.tif 000005
【図４】
2006246179.tif 000006
【図５】
2006246179.tif 000007
【図６】
2006246179.tif 000008
【図７】
2006246179.tif 000009
【図８】
2006246179.tif 000010